(57)【特許請求の範囲】
【請求項１】
周壁が断熱部材によって箱状に形成され、上方の開口部に開閉自在に取り付けられた蓋部材を有する外箱と、底部が排出口に向って下方に傾斜した側壁により形成された穀物容器と、この穀物容器の外周を冷気が循環するように前記外箱との間に形成された循環部と、この循環部内に設けられ、冷気を循環させる吸熱ファンを有する吸熱部、および循環部外に設けられ、排熱ファンを有する排熱部とからなるペルチェ冷却部と、前記吸熱部で発生した結露水を回収する結露トレイと、この結露トレイおよび前記排熱部よりも低位置に設けられ、結露水を蒸発させる蒸発トレイと、前記結露トレイと前記蒸発トレイとを連通し、前記結露トレイに溜まった結露水を前記蒸発トレイに排出するドレンとを備えた穀物保冷装置において、
前記排熱部の下方近傍に前記排熱ファンを配設し、前記吸熱ファンを前記吸熱部の一端側で該吸熱部と逆方向に空気を吹出させるように配設すると共に、前記吸熱部の他端側で前記排熱ファンの下方に前記ドレンを開口することにより、前記吸熱ファンにより循環する冷気の下流側に前記ドレンを配設したことを特徴とする穀物保冷装置。
【請求項２】
水平方向に多層のフィンを有する前記吸熱部を一対、水平方向に併設し、下流側の吸熱部を上流側の吸熱部より下方にオフセットして配設した請求項１に記載の穀物保冷装置。
【請求項３】
前記一対の吸熱部が同じ仕様である請求項２に記載の穀物保冷装置。
【請求項４】
前記外箱は、一対の対向する側壁と、この側壁を連結する底部とからなるコの字状の基部と、前記冷却部が取り付けられた背面パネルと、開閉自在に取り付けられた取出ドアを一体に有する正面パネルと、からなる請求項１乃至３いずれかに記載の穀物保冷装置。
【発明の詳細な説明】
【０００１】
【発明の属する技術分野】
この発明は、白米等の穀物を低温、かつ低湿状態に貯蔵する穀物保冷装置に関するものである。
【０００２】
【従来の技術】
近年、穀物が傷み易い季節において、高温多湿の外気が穀物容器内に侵入しても、常に鮮度を保ち、長期保存可能な穀物保冷装置として、例えば、特開平１０−２８８４４９号に記載の冷蔵装置が知られている。従来技術として、この穀物保冷装置の概略構成を説明する。
【０００３】
図６〜図８は従来技術として、特開平１０−２８８４４９号に記載の冷蔵装置を示している。この冷蔵装置５０は、鉛直方向に長い直方体形状のハウジング５１を備え、このハウジング５１の上方に開閉可能な蓋５２が設置されている。この蓋５２を開くと、投入口５３を通して白米を収納庫５４の内部に投入することができる。この収納庫５４は断面面が矩形状で、下方は断面の矩形空間が徐々に狭くなったテーパ状の払出し部５５になっており、その先端が払出し口５５ａとなって、計量装置５６に繋がっている。計量装置５６は、ハウジング５１の前面パネル５１ａから操作できるようになっており、収納庫５４から所望の量の白米を外部操作によって払い出すことができる。計量装置５６の下方には、払い出された白米を外部に取出す取出容器５７が取出し自在に設置されている。
【０００４】
収納庫５４の周囲は一定の間隔を開けて断熱壁５８によって囲まれ、この空間はペルチェ冷却装置５９によって冷却された空気が循環する循環層６０となっている。従って、このペルチェ冷却装置５９によって冷却された空気が媒体となって収納庫５４を周囲全体から冷却し、内部に収納された白米の熱を吸収することができる。また、収納庫５４と断熱壁５８との間には所定の間隔でスペーサ５８ａが挿入されており、これらのスペーサ５８ａによって空気の循環層６０が形成されている。
【０００５】
循環層６０の空気を冷却するためのペルチェ冷却装置５９は、収納庫５４に対してハウジング５１の後面パネル５１ｂ側に設置されている。ペルチェ冷却装置５９は、循環層６０の内部に位置し、収納庫５４の側面に沿って上下に延びる吸熱部６１と、ハウジング５１の後面パネル５１ｂ側、すなわち、吸熱部６１の外側に位置する排熱部６２とを備え、これら吸熱部６１と排熱部６２とは冷却ユニット６３によって連結されている。ペルチェ冷却装置５９によって冷却された循環層６０における冷気の循環効率を高めるため、循環ファン６４が設けられ、収納庫５４の周囲全体を均一な状態で冷却することができる。
【０００６】
ペルチェ冷却装置５９に電力を供給する電源装置６５が排熱部６２の下側に設置され、この電源装置６５からの放熱が考慮されている。
【０００７】
吸熱部６１で発生した結露水を受ける回収トレイ６６が吸熱部６１の下方に設置され、排熱部６２と電源装置６５との間に設けられた蒸発用トレイ６７と排水パイプ６８を介して連通している。従って、回収トレイ６６に滴下した結露水は、この蒸発用トレイ６７に導かれて蒸発し、電源装置６５等の熱によってその蒸発が促進されるようになっている。
【０００８】
蒸発用トレイ６７と排熱部６２との間には、排熱部６２の放熱を促進する冷却ファン６９が設置されている。この冷却ファン６９により、ペルチェ冷却装置５９の放熱効果を高めることができる。
【０００９】
【発明が解決しようとする課題】
従来の冷蔵装置、即ち、穀物保冷装置では、吸熱部６１から滴下した結露水を溜める回収トレイ６６と蒸発用トレイ６７とは排水パイプ６８により連通しており、循環ファン６４から吹出される空気が吸熱部６１を通過し、冷却された空気がこの排水パイプ６８を通して常時放出される。すなわち、排水パイプ６８が、循環する冷気の上流側（正圧側）に配設されているため、排水パイプ６８や断熱壁の接合部のすきまから冷気が外部（大気圧側）に放出される。一方、循環層６０内は、循環する冷気の下流側、すなわち、循環ファン６４の吸込み側は負圧となり、前記した排水パイプ６８からの冷気の放出により循環層６０内の気圧は外部の大気圧より若干低い状態（負圧）となる傾向にある。循環層６０の内部が負圧になると、下方に配設した計量装置５６のすきまや、収納庫５４を囲んでいる断熱壁５８のすきま等から高温多湿の外気が侵入して収納庫５４の冷却効率を低下させるばかりでなく、収納庫５４内の白米等、穀物の表面に結露水が発生し、かびの発生をはじめ、穀物を長期保存するのに適した環境を保持できないという問題がある。
【００１０】
こうした問題を解決するため、排水パイプ６８を冷却ファン６９の吹き出し側で大気開放され加圧されることにより、循環層６０、さらに収納庫５４が正圧となるようにした穀物保冷装置（特許第２９３９２５５号）もあるが、これでは、冷却ファン６９を排水パイプ６８の真下か、その近傍に配設する必要があり、排熱部６２の放熱を促進する冷却ファン６９の吹出し力が弱まって、その効果が低下してしまう。
【００１１】
例えば、本発明者らは、穀物保冷装置の冷却効率を低下させる要因として、（１）装置自体の機密性、（２）冷却部の構造、（３）ドレンの構造と配置、を取り上げ、種々の試作評価を行い成果をあげてきた。
【００１２】
しかしながら、穀物保冷装置に対する市場の要求は厳しくなり、従来のままでは、品質・機能は無論のこと、低価格と小スペース化の要求に応えることができない状況となった。そこで、低価格と小スペース化という課題を最優先にして、前記した冷却効率に及ぼす影響を定量的に抽出するために、冷却能と機密性との関係を調査した。その結果、厳密な冷却能の測定を行う以前には判然としなかった冷却部の配置・構造と機密性との関係を明確化することができた。
【００１３】
本発明は、かかる課題を解決するためになされたものであり、穀物保冷装置において、簡単な構成でハウジング内の機密性を高め、安定して長期間、穀物を冷蔵保存することができ、かつ、低価格・小スペースな穀物保冷装置を提供することを目的とする。
【００１４】
【課題を解決するための手段およびその作用・効果】
上述した課題を解決するために、本発明では、周壁が断熱部材によって箱状に形成され、上方の開口部に開閉自在に取り付けられた蓋部材を有する外箱と、底部が排出口に向って下方に傾斜した側壁により形成された穀物容器と、この穀物容器の外周を冷気が循環するように前記外箱との間に形成された循環部と、この循環部内に設けられ、冷気を循環させる吸熱ファンを有する吸熱部、および循環部外に設けられ、排熱ファンを有する排熱部とからなるペルチェ冷却部と、前記吸熱部で発生した結露水を回収する結露トレイと、この結露トレイおよび前記排熱部よりも低位置に設けられ、結露水を蒸発させる蒸発トレイと、前記結露トレイと前記蒸発トレイとを連通し、前記結露トレイに溜まった結露水を前記蒸発トレイに排出するドレンとを備えた穀物保冷装置において、前記排熱部の下方近傍に前記排熱ファンを配設し、前記吸熱ファンを前記吸熱部の一端側で該吸熱部と逆方向に空気を吹出させるように配設すると共に、前記吸熱部の他端側で前記排熱ファンの下方に前記ドレンを開口することにより、前記吸熱ファンにより循環する冷気の下流側に前記ドレンを配設したことを特徴とする。
【００１５】
このように構成することにより、ドレンから高温多湿の外気が侵入してきたとしても、近傍に配設されている吸熱部により結露水となってドレンから外部へ排出され、穀物容器内への影響は少なく、また、循環部内の負圧域はこのドレンにより気圧調整されて、循環部内の気圧は概ね正圧となる。したがって、下方に配設した計量部のすきまや、穀物容器を囲んでいる周壁のすきま等から高温多湿の外気が侵入して穀物容器の冷却効率を低下させたり、穀物容器内の穀物の表面に結露水が発生することもなく、穀物を長期保存するのに適した環境を保持することができる。
【００１６】
また、前記吸熱ファンを前記吸熱部の一端側に配設し、この吸熱部と逆方向に空気を吹出させるように前記吸熱ファンを配設し、かつ、前記吸熱部の他端側に前記ドレンをそれぞれ配設したことにより、前記ドレン付近の循環部の気圧を若干の負圧に抑えることができ、外気の侵入を必要最小限にすることができる。さらに、前記排熱部の下方近傍に前記排熱ファンを配設し、この排熱ファンの下方に前記ドレンを開口したことにより、排熱部の放熱を促進する排熱ファンの効果を充分に発揮することができる。
【００１７】
一方、水平方向に多層のフィンを有する前記吸熱部を一対、水平方向に併設し、下流側の吸熱部を上流側の吸熱部より下方にオフセットして配設したことにより、吸熱部の取付部の影響を少なくすることができる。すなわち、同じ位置に併設させると吸熱ファンに吸い込まれる空気がフィンに接触することなく、この取付部を通過し、冷却効率を低下させる要因となる。一対の吸熱部をオフセットさせることにより、空気が最大限フィンに接触するようになる。さらに、前記一対の吸熱部が同じ仕様であれば、量産効果により低コスト化ができる。
【００１８】
前記外箱は、一対の対向する側壁と、この側壁を連結する底部とからなるコの字状の基部と、前記冷却部が取り付けられた背面パネルと、開閉自在に取り付けられた取出ドアを一体に有する正面パネルとからなるシンプル、かつ、部品点数が少ない構造であるため、低価格で小スペース化が実現でき、一般家庭においても場所をとらず、手軽に設置できるサイズを提供することができる。また、装置自体の組み立て作業も簡素化でき、低コスト化が図れる。
【００１９】
【発明の実施の形態】
本発明の実施の形態について実施例に基いて以下の順序で説明する。
Ａ．全体構成
Ｂ．外箱
Ｃ．穀物容器
Ｄ．計量部
Ｅ．循環部
Ｆ．冷却部
【００２０】
Ａ．全体構成
図１は本発明に係る穀物保冷装置の外観形状の斜視図を示しており、図２にその外箱２の分解斜視図を示している。また、図３は、穀物保冷装置１の概略構成を縦断面図で示している。
【００２１】
穀物保冷装置１は、外箱２と白米等の穀物を貯蔵する穀物容器３と、この穀物容器３を冷却する冷却部４と、冷却部で冷却した冷気を、穀物容器３の周囲に循環させて、貯蔵している穀物を所定の環境下に保持する循環部５と、穀物容器３の下方に配設され、所望の量だけ穀物を排出する計量部６と、この計量部６で排出された穀物を出し入れ自在に収容する取出容器７とから構成されている。
【００２２】
図２に示すように、外箱２は概略直方体形状をし、基部８と正面パネル９、背面パネル１０、および蓋部材１１とからなっている。基部８は、底部８ａと、この底部８ａに垂設され、一対の対向する側壁８ｂ、８ｂとで略コの字状をなし、開放した側部を正面パネル９と背面パネル１０とを嵌めこむことにより四方を塞ぐようにした構造である。また、開放した上方には、その四隅の開口部を連結し、蓋部材１１を開閉自在に取り付けた枠部材１２が嵌めこまれる。正面パネル９には、取出容器７から計量排出された穀物を取出すための取出ドア１３が、開閉自在に、かつ一体に取り付けられている。一方、図３に示すように、背面パネル１０には、ペルチェ効果を利用した冷却部４がその表裏に取り付けられている。この冷却部４で冷却された冷気は、外箱２と穀物容器３との間に形成された循環部５を流動循環し、穀物容器３の外周を冷却する。
【００２３】
図３に示すように、穀物容器３は四方が側壁３ａにより矩形状に形成され、その底部３ｂが排出口３ｃに向って下方に傾斜している。この穀物容器３の下方には、前記排出口３ｃに連通して計量部６が配設され、所望の量の穀物を取出容器７内に定量排出する。
【００２４】
Ｂ．外箱
図３に示すように、外箱２は、周壁２ａが発泡スチロール等の発泡体からなる断熱材で形成され、この外表面をプラスティック等の化粧板２ｂで覆われている。蓋部材１１は、前面から上下に開閉自在で、穀物を補充する投入口となっている。また、枠部材１２と開閉機構１１ａを介して連結されており、この枠部材１２と当接する部位にはパッキン１１ｂが装着され密着性を高めている。一方、枠部材１２は、基部８と正面パネル９、および背面パネル１０を組み立てた状態で矩形状をなす四隅を連結する。
【００２５】
図１に示すように、正面パネル９の下部には取出ドア１３が開閉機構１３ａを介して一体に取付けられ、横方向に開閉自在になっている。この取出ドア１３を開けると、操作盤１４が開口しており、計量部６と連携して所望の量を指定すれば取出容器７に穀物を排出することができる。
【００２６】
図３に示すように、背面パネル１０の外壁１０ａは、前記した化粧板２ｂより一段板厚の厚い化粧板からなり、後述する冷却部４が取付けられている。また、冷却部４で放熱した空気や、内部から排出された結露水の蒸発による湿気が直接上方に対流しないように、外壁１０ａの上部には遮蔽板１０ｂが設けられている。さらに、外壁１０ａの底部には、前記した結露水の床面への漏れを防止するために受け板１０ｃが一体に設けられている。
【００２７】
Ｃ．穀物容器
図３に示すように、穀物容器３は、その底部３ｂが排出口３ｃに向って下方に傾斜し、四方が側壁３ａにより矩形状に形成されているため、先入れ先出しで冷蔵保存された穀物を滞留させることなく、有効に排出させることができる。ここで、穀物容器３の形状は矩形状に限らず、四隅に円弧状の丸みを形成すれば、側壁３ａの内周隅部に穀物粉等の詰まりを発生せず、さらに、外周における冷気の循環効率を向上させことができる。
【００２８】
また、穀物容器３は、熱伝導性の高い金属製の薄板からなる側壁３ａで形成され、外周を循環する冷気により、その内部が効率良く冷却され、長期にわたり、貯蔵した穀物を常に適正な環境下に保持することができる。
【００２９】
穀物投入時、一時的に高温多湿の外気が侵入しても、速やかに低温低湿の循環部５の冷気との交換が可能となるように、この穀物容器３と前記した枠部材１２との嵌合部には、所定幅の連通溝（図示せず）が設けられている。この連通溝は例えば、前記した枠部材１２の断熱材にスリット等を複数箇所に形成すれば良い。
【００３０】
この種の連通溝に代わり、この穀物容器３の上部に複数の小さな連通孔を設けても良いが、加工上の工数アップや穀物から出る微粉の流出を考慮すれば、加工が不要で低コストな連通溝の方が好ましい。
【００３１】
Ｄ．計量部
図３に示すように、計量部６は、穀物容器３の下方、その排出口３ｃに連通して配設されている。回転自在に支持された円筒状ドラム６ａの外周には所定の枚数の歯６ｂが形成され、この歯６ｂに噛合する複数の歯６ｃを有するレバー６ｄが揺動可能に支持されている。このレバー６ｄは操作盤１４の操作により、揺動角度が変化し、その角度に応じて前記排出口３ｃと連通するドラム６ａの開口面積が変化し、所望の量の穀物を取出容器７内に排出させることができる。計量部６はこのような機構を例示したが、これに限らず種々の機構を採用することができる。
【００３２】
Ｅ．循環部
図３と図５に示すように、循環部５は、外箱２と穀物容器３との間に形成され、後述する冷却部４によって冷却された空気を、穀物容器３の外周に沿って流動循環させる通路をなしている。外箱２の周壁２ａには、複数箇所に突条２ｃが形成され、穀物容器３の位置決め用スペーサの役目をなしている。この突条２ｃ間に挟まれて循環部５が構成されているが、突条以外に突起を複数箇所点在させても良い。この突条２ｃは、周壁２ａをなす断熱材を成形する時に型形成されるため、加工が不要で、低コスト化に対し有効である。さらに、断熱材と一体であるため、部品点数が増えず、組立作業も簡素化ができ、熟練を必要としない。
【００３３】
Ｆ．冷却部
図３〜図５に示す断面図に基き冷却部４を説明する。背面パネル１０の外壁１０ａの内側には吸熱部４ａ、外側には排熱部４ｂがそれぞれ取付けられている。この冷却部４はペルチェ効果を利用した電子冷却器である。このペルチェ効果に関する詳細説明はここでは省略し、概略説明に止める。直流電流を通電させると、ｎ形半導体の電子が一方の金属板から他方の金属板へ移動し、ｐ形半導体の正孔が一方の金属板から他方の金属板へと移動する。ここで移動する電子と正孔は、一方の金属板側で熱を吸収して、他方の金属板側で熱を放出する。これによって一方の金属板では吸熱作用が起き、他方の金属板では発熱作用が起きる。
【００３４】
吸熱部４ａと排熱部４ｂとは、連結部４ｃによって電気的に導通可能に結合されている。この吸熱部４ａは軽量なアルミニウム合金等の金属からなる多層のフィン４ａａを一体に有し、その表面は親水性の良いアルマイト処理が施されている。撥水処理を行うと、表面に結露水の水滴が残り、表面張力による水の膜が形成され、熱伝達効率が低下する。吸熱ファン４ａｂは、これらのフィン４ａａに空気を当てて冷却し、その冷気を循環部５に流動循環させる。吸熱フィン４ａａは水平方向、多層に形成され、その一端に吸熱ファン４ａｂが配設されている。
【００３５】
図４において、吸熱部４ａは、同じ仕様の一対の部材からなり、外壁１０ａに併設されている。吸熱部４ａの取付けはビス等で行うが、この取付部４ａｃの部分はフィン４ａａが取り除かれているため、同じ位置に併設させると吸熱ファン４ａｂにより吹出され、循環部５を循環してきた冷気がフィン４ａａに接触することなくこの取付部４ａｃを通過し、冷却効率を低下させる要因となる。したがって、ここに例示した実施例では、一方の吸熱部４ａよりも他方の吸熱部４ａを上方にオフセットさせ、空気が最大限フィン４ａａに接触するように考慮されている。しかし、このオフセット状態に取付ける以外に、例えば、互いに異なる取付部を有する吸熱部か、あるいは、単一の吸熱部で構成しても良い。さらには、吸熱ファンを二つセットで設けても良い。
【００３６】
例示した実施例では、同じ吸熱部を一対オフセットして設けているため、異なった吸熱部を二つ設けるよりコスト的に有利であるばかりでなく、他方の吸熱部４ａを上方にオフセットさせているため、冷気を最大限上方から供給することができ、小スペース化の実現と相俟って、冷却効率を向上させることができる。
【００３７】
図５において、吸熱ファン４ａｂから吹出され、循環してきた冷気の下流側（負圧側）に、ドレン１８を配設している。これにより、このドレン１８から高温多湿の外気が侵入してきたとしても、近傍に配設されている吸熱部４ａにより結露水となってドレン１８から排出され、穀物容器３内への影響を最小限に少なくすることができる。また、循環部５内の負圧域はこのドレン１８により気圧調整されて略大気圧となり、循環部５内の気圧は概ね正圧となる。本発明者らが実施した試験では、従来の構成では、循環部内の気圧は−０．３〜−０．５ｍｍＡｑであったが、本発明の構成を採用することによって、循環部の気圧は−０．０２〜＋０．０３ｍｍＡｑとなった。したがって、下方に配設した計量部６のすきまや、穀物容器３を囲んでいる周壁２ａのすきま等から高温多湿の外気が侵入して穀物容器３の冷却効率を低下させたり、穀物容器３内の穀物の表面に結露水が発生することもなく、穀物を長期保存するのに適した環境を保持することができる。ドレン１８をさらに下流側の吸熱部４ａの近傍（吸込み部）に配設しても良いが、外気との気圧差が大きくなって、高温多湿の外気の侵入が多くなり、穀物容器３への影響が出てくることも考えられる。
【００３８】
図４において、排熱部４ｂは多層のフィン４ｂａを有する単一の部材からなっている。吸熱部４ａのフィン４ａａと異なり、排熱部４ｂのフィン４ｂａは垂設されており、その下部近傍には放熱を促進させるために一対の排熱ファン４ｂｂが配設されている。また、この排熱ファン４ｂｂから吹出される空気をフィン４ｂａに集中させるために、フィン４ｂａの下部を覆うようにテーパ状に傾斜したダクト４ｂｄが設けられている。排熱部４ｂも吸熱部４ａ同様、軽量なアルミニウム合金等の金属で形成されている。
【００３９】
前記した吸熱部４ａの下方には、この吸熱部４ａのフィン４ａａから滴下した結露水を受ける結露トレイ１５が取付けられ、前記した排熱部４ｂの下方に取り付けられた蒸発トレイ１６と排出口１７を介して連通している。この蒸発トレイ１６に溜まった結露水は自己蒸発する。電源装置４ｄは、家庭用の交流電源をＡＣ・ＤＣ変換器によって直流に変換し、これをペルチェ冷却部４と、吸熱部４ａ、排熱部４ｂに供給される。また、蒸発トレイ１６内には、溜まった結露水を吸水する吸湿材１６ａが備えられており、結露水の蒸発を促進させることができる。この吸湿材１６ａは、ガラス繊維をハニカム状に形成したものを用いている。
【００４０】
排出口１７にはドレン１８が装着され、結露トレイ１５で受けた結露水を蒸発トレイ１６に排出させる。ドレン１８は、中空のＥＰＲ（エチレン・プロピレンゴム）で形成されている。この種のエラストマは、衝撃にも強く、物がぶつかっても変形や破損するようなことはない。さらに、エチレン・プロピレン共重合体ＥＰＭに不飽和基を有するＥＰＤＭ（エチレン・プロピレン・ジエン）を採用すれば、この種のドレンに求められる耐水性、耐熱性にも富み、長期間の使用に適している。
【００４１】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【図面の簡単な説明】
【図１】本発明の穀物保冷装置の外観を示す斜視図である。
【図２】本発明の穀物保冷装置に係る外箱の概略分解斜視図である。
【図３】本発明の穀物保冷装置の縦断面図（図１の断面III―III）である。
【図４】（ａ）本発明の穀物保冷装置に係る背面パネルの内側から見た正面図である。
（ｂ）同上、背面パネルの同側面断面図である。
（ｃ）同上、背面パネルの外側から見た正面図である。
【図５】本発明の穀物保冷装置の概略横断面図である。
【図６】従来の穀物保冷装置の外観形状を示す斜視図である。
【図７】従来の穀物保冷装置を示す縦断面図（図６の断面VII―VII）である。
【図８】従来の穀物保冷装置を示す概略横断面図である。
【符号の説明】
１・・・・・・・・穀物保冷装置
２・・・・・・・・外箱
２ａ・・・・・・・周壁
２ｂ・・・・・・・化粧板
３・・・・・・・・穀物容器
３ａ・・・・・・・側壁
３ｂ・・・・・・・底部
３ｄ・・・・・・・排出口
４・・・・・・・・冷却部
４ａ・・・・・・・吸熱部
４ａａ、４ｂａ・・フィン
４ａｂ・・・・・・吸熱ファン
４ｂ・・・・・・・排熱部
４ｂｂ・・・・・・排熱ファン
４ｂｃ・・・・・・ダクト
４ｃ・・・・・・・連結部
４ｄ・・・・・・・電源装置
５・・・・・・・・循環部
６・・・・・・・・計量部
６ａ・・・・・・・ドラム
６ｂ、６ｃ・・・・歯
６ｄ・・・・・・・レバー
７・・・・・・・・取出容器
８・・・・・・・・基部
８ａ・・・・・・・底部
８ｂ・・・・・・・側壁
９・・・・・・・・正面パネル
１０・・・・・・・・背面パネル
１０ａ・・・・・・・外壁
１０ｂ・・・・・・・遮蔽板
１０ｃ・・・・・・・受け板
１１・・・・・・・・蓋部材
１１ａ、１３ａ・・・開閉機構
１１ｂ・・・・・・・パッキン
１２・・・・・・・・枠部材
１３・・・・・・・・取出ドア
１４・・・・・・・・操作盤
１５・・・・・・・・結露トレイ
１６、２１・・・・・蒸発トレイ
１７・・・・・・・・排水口
１８、１９、２０・・・ドレン
５０・・・・・・・・冷蔵装置
５１・・・・・・・・ハウジング
５１ａ・・・・・・・前面パネル
５１ｂ・・・・・・・後面パネル
５２・・・・・・・・蓋
５３・・・・・・・・投入口
５４・・・・・・・・収納庫
５５・・・・・・・・払出し部
５６・・・・・・・・計量装置
５７・・・・・・・・取出容器
５８・・・・・・・・断熱壁
５８ａ・・・・・・・スペーサ
５９・・・・・・・・ペルチェ冷却装置
６０・・・・・・・・循環層
６１・・・・・・・・吸熱部
６２・・・・・・・・排熱部
６３・・・・・・・・冷却ユニット
６４・・・・・・・・循環ファン
６５・・・・・・・・電源装置
６６・・・・・・・・回収トレイ
６７・・・・・・・・蒸発用トレイ
６８・・・・・・・・排水パイプ
６９・・・・・・・・冷却ファン
【図１】
0003892211.tif 000002
【図２】
0003892211.tif 000003
【図３】
0003892211.tif 000004
【図４】
0003892211.tif 000005
【図５】
0003892211.tif 000006
【図６】
0003892211.tif 000007
【図７】
0003892211.tif 000008
【図８】
0003892211.tif 000009